【事件の表示】
　特許第３０４５６２４号「ハロゲン化銀写真感光材料」の請求項１ないし５に係る特許に対する特許異議の申立てについて、次のとおり決定する。
【結　論】
　特許第３０４５６２４号の請求項１ないし５に係る特許を維持する。
【理　由】
Ｉ．手続の経緯
　本件特許第３０４５６２４号の請求項１ないし５に係る発明についての出願は、平成５年３月２３日（特許法第４１条に基づく優先権主張平成４年５月１４日）に出願され、平成１２年３月１７日にその発明についての特許の設定の登録がなされ、その特許掲載公報が平成１２年５月２９日に発行されたところ、平成１３年１１月２９日付でコニカ株式会社から特許異議の申立がなされたものである。
　
II．申立の理由の概要
　特許異議申立人コニカ株式会社は、下記の甲第１ないし３号証を提出して、本件の請求項１ないし５に係る特許は、以下の(１)〜(３)の理由により、取り消されるべきのである旨主張している。
(１)本件の請求項１に係る発明は、甲第１号証ないし甲第３号証に記載された発明であるから、特許法第２９条第１項第３号に規定する発明に該当し、特許を受けることができないものである。
(２)本件の請求項１に係る発明は、甲第３号証に記載された発明に基づいて、その発明の属する技術分野における通常に知識を有する者が容易に発明をすることができたものであるから、特許法第２９条第２項の規定により特許を受けることができないものである。
(３)本件明細書の発明の詳細な説明は、その発明の属する技術分野における通常の知識を有する者がその実施をすることができる程度に明確かつ充分に記載されておらず、また、特許請求の範囲には、請求項に区分して、各請求項ごとに特許出願人が特許を受けようとする発明を特定するために必要と認める事項のすべてを記載していない。
　　　　　　　　　　　　　　　　記
甲第１号証：特開平３−１８９６４２号公報
甲第２号証：特開平３−１７５４４０号公報
甲第３号証：特開昭６３−２２０２３８号公報
　
III ．当審における判断
１．理由(３)について
(１)記載不備であるとする具体的理由
  本件明細書の記載が不備である具体的理由の概要は、本件明細書の「３０本未満では本発明の効果が得にくく好ましくない。」（特許掲載公報第７欄第２〜３行）、「表１から明らかなように、ハロゲン化銀粒子の８０％以上に実質的にフリンジ部のみに１粒子あたり３０本以上の転位線を有する本発明により、カブリが低く、高感度で、圧力カブリの増加が小さく、圧力減感の小さい乳剤を得ることができた。」（第５９欄第３〜７行）という記載、及び表１において、実質的にフリンジ部のみに３０本以上の転位線を有するハロゲン化銀粒子の８０％未満のものを比較例としていることから判断して、本発明の効果を奏するためには「実質的にフリンジ部のみに３０本以上の転位線が局在」しなければならないことが明白であるのに対し、請求項１ないし５には、その点が記載されていない、というにある。
(２)当審の判断
　しかしながら、本件明細書（同公報第６欄下から第２行〜第７欄第）には、「本発明のフリンジ転位型平板粒子は粒子フリンジ部に１粒子当たり３０本以上の転位線を有するものが好ましく、さらに好ましくは５０本以上、特に好ましくは１００本以上のものである。」と記載されているように、３０本以上という条件は好ましい条件であることが記載されている。また、表１に記載された実施例及び比較例は、該好ましい条件を表すために記載されたものであって、該表の記載から、３０本未満の場合、本発明の効果が得られにくいことを示しているに過ぎない。
　本件明細書に記載された「発明が解決しようとする課題」、及び「該課題を解決するための手段」の項の記載から明らかなように、本発明の特徴とする構成は、「フリンジ部のみに転位線が局在している」ことにあり、フリンジ部に存在する転位線の数に特徴を有するものでないことは明らかである。
　よって、申立人の該主張は、採用できない。
　
２．理由(１)及び(２)について
(１)本件発明
  本件の請求項１に係る発明は、特許査定時の明細書及び図面の記載からみて、以下のとおりである。
「【請求項１】アスペクト比が２ないし４０であり実質的にフリンジ部のみ
に転位線が局在するハロゲン化銀平板粒子（フリンジ転位型平板粒子）が全粒子の投影面積の１００ないし８０％を占めるハロゲン化銀乳剤を含有するハロゲン化銀乳剤層を支持体上に有することを特徴とするハロゲン化銀写真感光材料。ここに、「フリンジ部」とは、「平板粒子の辺から中心にかけての沃化銀の分布において、辺側から見て初めてある点の沃化銀含率が粒子全体の平均沃化銀含率を越えた点もしくは下回った点の外側」を指す。また、「実質的にフリンジ部にのみ転位線が局在する」とは、「主平面部に転位線を３本以上含まない」ことをいう。」（以下、「本件発明」という。）
　
(２)甲号各証に記載された発明
甲第１号証：
　ハロゲン化銀乳剤及びこれを用いた写真感光材料に関し、
(１−１)第２１頁右上欄第２〜１３行（平成３年１月２１日付で補正された特許請求の範囲の請求項１）
「分散媒体とハロゲン化銀粒子を含むハロゲン化銀乳剤において、該ハロゲン化銀粒子の全投影面積の５０％以上が、０．３マイクロメーター以上の粒子直径を有し、アスペクト比が２以上であり、基板粒子を全体的または局在的に囲む高沃化銀含有層の上に形成した該高沃化銀含有層よりも平均沃化銀含有率の低い粒子フリンジ部を有し、かつ、該粒子フリンジ部に一粒子あたり１０本以上の転位線を有する平板状ハロゲン化銀粒子によって占められ、該平板状ハロゲン化銀粒子の粒子サイズ分布が単分散であることを特徴とするハロゲン化銀乳剤。」
(１−２)第２１頁右上欄第１４〜１６行（同特許請求の範囲の請求項２）
「粒子フリンジ部の平均沃化銀含有率が、粒子内部の平均沃化銀含有率よりも高い請求項（１）記載のハロゲン化銀乳剤。」
(１−３)第２１頁右上欄第１７〜１９行（同特許請求の範囲の請求項３）
「粒子フリンジ部の平均沃化銀含有率が、粒子内部の平均沃化銀含有率よりも低い請求項（１）記載のハロゲン化銀乳剤。」
(１−４)第２１頁右上欄末行〜左下欄第３行（同特許請求の範囲の請求項４）
「請求項（１）または（２）のいずれか記載のハロゲン化銀乳剤を含むハロゲン化銀乳剤層を少なくとも一層支持体上に有するカラー写真感光材料。」
(１−５)第２頁左上欄第１３〜１５行
「本発明の目的は、高感度で粒状性に優れ、階調特性が改良され、かつカブリの低い平板状ハロゲン化銀乳剤を提供することである。」
(１−６)第２頁右下欄第１１〜２０行
「本発明の乳剤は、これに含まれるハロゲン化銀粒子の全投影面積に対して、０．３マイクロメーター以上の粒子直径を有し、アスペクト比が２以上であり、かつ、粒子フリンジ部に一粒子あたり１０本以上の転位線を有する平板状ハロゲン化銀粒子によって占められる割合が、５０％以上、好ましくは７０％以上、さらに好ましくは９０％以上、より好ましくは９５％以上であり、かつこれらの平板状ハロゲン化銀粒子の粒子サイズ分布が単分散であることが好ましい。」
(１−７)第３頁左上欄第４〜８行
「本発明の平板状粒子の平均アスペクト比は２以上、好ましくは２〜２０、より好ましくは４〜１６である。ここで平均アスペクト比とは、乳剤中に存在するすべてのアスペクト比２以上の本発明の粒子のアスペクト比の平均を言う。」
(１−８)第３頁左上欄第９〜１４行
「本発明で言う粒子フリンジ部とは、平板状粒子の外周のことを指し、詳しくは平板状粒子の辺から中心にかけての沃化銀の分布において、辺側から見て初めてある点の沃化銀含量が、粒子全体の平均沃化銀含量を越えた点もしくは下まわった点より外側の部分を指す。」
(１−９)第５頁左上欄第６行〜左下欄第１４行（但し、第２０頁右上欄第１５〜末行に記載された補正事項を追加した後の記載）
「４）転位を有するフリンジ部の形成　本発明の平板粒子の転位は粒子の基板粒子の表面に相当する平板粒子の内部に特定の高ヨウド相を設けることによってコンロールすることができる。具体的には基板粒子を調製し、下記▲１▼または▲２▼の方法により高ヨウド相を設け、その外側を高ヨウド相より沃化銀舎量の低い相（フリンジ部）でカバーすることによって得られる。こうして、本発明の平板状ハロゲン化銀粒子は、基板粒子を全体的あるいは局在的に囲む高沃化銀含有層（高ヨウド相）の上に形成したこの高沃化銀含有層よりも平均沃化銀含有率の低い粒子フリンジ部を有する。・・・
▲１▼このための方法としては、・・・いわゆるコンバージョン法を用いることができる。・・・たとえば粒子形成途中において、その時点のＡｇＢｒ粒子の表面積に対しある量以上のＫＩ（８．２×１０−５モル／ｍ２以上）を添加することが好ましい。
▲２▼また別法として、・・・エピタキシャル接合法を用いることができる。・・・銀塩とヨウドを含むハロゲン化物溶液とを添加することにより本発明の内部高ヨウド相を形成することができる。」
(１−１０)第６頁左下欄第６〜１０行（但し、第２０頁右下欄下から第３〜２行に記載された補正事項を追加した後の記載）
「本発明の平板粒子の転位の数については粒子フリンジ部に１粒子あたり１０本以上、より好ましくは５０本以上の転位を含む粒子が５０％（面積）以上、より好ましくは７０％以上、さらに好ましくは９０％以上、さらには９５％以上存在することが好ましい。」
と記載され、実施例１の第１表には、甲１号証の請求項１で規定する粒子の割合が全投影面積の９５％を占める乳剤Ｄ、及び全投影面積の９０％を占める乳剤Ｅが記載され、実施例１、実施例２には該乳剤を用いたハロゲン化銀写真感光材料が記載されている。（なお、▲▼は、丸付き数字を表す。以下同じ。）
　
甲第２号証：
　ハロゲン化銀写真乳剤、その製造方法及び写真感光材料に関し、
(２−１)特許請求の範囲の請求項１
「アスペクト比が２以上であり、粒子の頂点近傍に転位が集中している平板状ハロゲン化銀粒子を含有するハロゲン化銀写真乳剤。」
(２−２)特許請求の範囲の請求項２
「粒子厚みが０．５μｍ未満であり、粒子直径が０．３μｍ以上であって、アスペクト比が２以上の平板状ハロゲン化銀粒子が全ハロゲン化銀粒子の投影面積の少なくとも５０％を占める請求項（１）記載のハロゲン化銀写真乳剤。」
(２−３)特許請求の範囲の請求項３
「平板状ハロゲン化銀粒子の頂点に、直接に又は沃素イオンによるハロゲン変換を介して、沃化銀若しくは沃化銀含有率の高いハロゲン化銀を接合して接合ハロゲン化銀粒子とした後、引き続いて平板粒子を成長させることからなる請求項（２）記載のハロゲン化銀写真乳剤の製造方法。」
(２−４)第２頁右上欄第１４〜１７行
「本発明は、第一に、感度の高いハロゲン化銀乳剤を得ることを目的とする。第二には、相反則特性の優れたハロゲン化銀乳剤を得ることを目的とする。」
(２−５)第２頁右下欄第２〜４行（但し、第２５頁右上欄第８行に記載された補正事項を追加した後の記載）
「本発明の乳剤はアスペクト比が２以上、好ましくは３以上８未満の平板状ハロゲン化銀粒子を１個以上含有する。」
(２−６)第３頁左上欄第１１〜１６行
「本発明の平板粒子が乳剤中に占める割合としては好ましくは乳剤中の全ハロゲン化銀粒子の投影面積のうち５０％、特に好ましくは８０％以上である。さらに、これらの一定面積を占める平板粒子の平均アスペクト比が３以上８未満であることが好ましい。」
(２−７)第４頁右上欄第２０行〜左下欄第３行
「次に、平板粒子の頂点にハロゲン変換を経由して沃化銀もしくは沃化銀含有率の高いハロゲン化銀部分をエピタキシャルに接合させる間接的方法について述べる。」
(２−８)第４頁左下欄第１４行〜第５頁左上欄第１５行
「本発明者らは、・・・平板状粒子にシアニン色素を吸着せしめて、コーナーに塩化銀をエピタキシャル成長させる方法では、本発明の目的の達成に好ましくないことを見い出した。すなわち、このようにして得られたエピタキシャル粒子を沃化物でハロゲン変換した後平板粒子を成長させても転位が頂点近傍のみならず、辺や主表面に転位が導入されてしまう。これは増感色素自体が転位を導入する働きを有するためであろうと推定される。本発明者らは、塩化銀をエピタキシャル成長させるためには水溶性沃化物を配向支配物質として用いることが好ましいことを見い出した。すなわち典型的には沃化カリウムを使用する。ホスト平板粒子に対して０．０ ３〜３モル％、好ましくは０．５〜１．５モル％の沃化カリウムを使用することが好ましい。この量は平板粒子の表面単原子被覆量の約５０〜２００％に相当することが好ましい。この後硝酸銀と塩化カリウム等をダブルジェット法で添加すると、本発明の目的にかなった塩化銀を平板粒子の頂点に成長させることができる。ここで添加する硝酸銀の量はホスト平板粒子に対して０．１〜１０モル％が好ましい。塩化銀の沃化カリウムによるハロゲン変換について述べる。溶解度の大きいハロゲン化銀は溶解度のより小さいハロゲン化銀を形成しうるハロゲンイオンを添加することにより、溶解度のより小さいハロゲン化銀に変換される。この過程はハロゲン変換と呼はれ、例えば米国特許第４１４２９００号に記載されている。本発明ではエピタキシャル成長した塩化銀を沃化カリウムで選択的にハロゲン変換することにより平板粒子の頂点部にβ‐ＡｇＩ相を形成する。ハロゲン変換のための沃化カリウムの量は多すぎると転位の分散を起こし、少量すぎるとこの後の粒子成長段階で起こる再結晶化により所望の転位が消滅してしまう。またこの過程で予め適量の塩化銀相が存在していない場合には、沃化カリウムは臭化銀とハロゲン変換を起こすため、続く粒子成長で転位は集中しないものとなる。ハロゲン変換のための沃化カリウムの量は、ホスト平板粒子に対し０．１〜１０ｍｏｌ％の量が好ましい。」
(２−９)第１３頁左下欄第１１行〜右下欄第１２行
「実施例一１
（１）乳剤の調製
　Ａ．基盤乳剤の調製
　乳剤Ａ−１の調製　臭化カリウム０．９１モルを含有する低分子量ゼラチン０．７％水溶液を３０℃に保ち撹拌しながら、これにダブルジェット法により同一の一定流量で１分間にわたり臭化カリウム１．０１モル水溶液および硝酸銀０．９４モル水溶液を加えた（全硝酸銀の１２．７％を消費した）。さらに１６％脱イオンゼラチン溶液４００ｍｌを加えた後７５℃に昇温した。硝酸銀０．８８モル水溶液を加えＰＢｒを２．３１に調整した後（全硝酸銀の３．７％を消費）、１４．７Ｎアンモニア水溶液を加えｐＨ を８．３に調整して物理熟成後、３Ｎ硝酸を加え再びｐＨ を５．５に調整した。臭化カリウム１．３３モル水溶液および、硝酸銀０．８８モル水溶液を同時に３０分間にわたってｐＢｒを３．０２に保ちながら加えた（全硝酸銀の８３．６％を消費）。次いで通常のフロキュレーション法により脱塩し平均アスペクト比６．５、円相当径１．０μｍである平板状ＡｇＢｒ乳剤Ａ−１を調製した。用いた硝酸銀は１５６ｇである。」
(２−１０)第１４頁左下欄第７行〜右下欄第１４行
「Ｂ．頂点近傍に集中した転位を有する粒子の調製
▲１▼５００ｇの基盤乳剤Ａ‐１，Ａ−２，Ａ−３（０．５ｍｏｌＡｇ）と蒸留水３５０ｃｃを混合し４０℃に昇温し、よく撹拌した。この状態を保持して、以下の手順を行った。
▲２▼基盤乳剤の銀量に対して１．２ｍｏｌ％に相当する量の沃化カリウム溶液（濃度０．０４ｍｏｌ／ｌ）を１５分間かけて添加した。
▲３▼それぞれ基盤乳剤の銀量に対して４．１ｍｏｌ％に相当する量の、硝酸銀溶液（濃度１．０２ｍｏｌ／ｌ）と塩化ナトリウム溶液（１．５８ｍｏｌ／ｌ）を１分間にわたってダブルジェット法で添加した。
▲４▼基盤乳剤の銀量に対して１．３ｍｏｌ％に相当する量の沃化カリウム溶液（濃度０．０４ｍｏｌ／ｌ）を８分間で添加した。
▲５▼それぞれ基盤乳剤の銀量に対して５０ｍｏｌ％に相当する量の、硝酸銀溶液（濃度１．０２ｍｏｌ／ｌ）と臭化カリウム溶液（濃度１．０ ２ｍｏＩ／ｌ）をｐＢｒ＝１．７３に保ちながら４９分間で添加した。
▲６▼フロキュレーシヨン法により脱塩した。
　乳剤Ａ−１を基盤乳剤として調製した乳剤（乳剤Ｂ−１）、乳剤Ａ−２を基盤乳剤として調製した乳剤（乳剤Ｂ−２）、乳剤Ａ−３を基盤乳剤として調製した乳剤（乳剤Ｂ−３）ともに平均アスペクト比６．５、円相当直径１．３μｍであった。」
(２−１１)第１４頁右下欄第１５〜末行
「Ｃ．局在化しない転位を有する粒子の調製
　Ｂで述べた手順▲１▼〜▲６▼のうち▲１▼、▲２▼、▲４▼、▲５▼、▲６▼のみを行った。乳剤Ａ−１から調製した乳剤を乳剤Ｃ−１、乳剤Ａ−２から調製した乳剤を乳剤Ｃ一２、乳剤Ａ−３から調製した乳剤を乳剤Ｃ一３とした。」
(２−１２)第１５頁左上欄第７〜１８行
「（２）粒子の転位の観察
　乳剤Ｂ−１，Ｃ−１，Ｄ−１について透過型電子顕微鏡を用い、転位の直接観察を行なった。電子顕微鏡は日本電子（株）製ＪＥＭ−２０００ＦＸIIを用い、加速電圧２００ｋＶ、温度一１２０℃で観察した。第１図に乳剤Ｂ‐１を観察して得られた典型的な粒子の写真を示す。転位が頂点の近傍のみに集中していることが明確にわかる。第２図に乳剤Ｃ−１を観察して得られた典型的な粒子の写真を示す。転位は集中せず、粒子の辺に均一に導入されていることがわかる。」
と記載され、第２図には、転位が粒子の辺に均一に導入されている粒子の写真が示されている。
　
甲第３号証：
　ハロゲン化銀写真乳剤及びそれを用いた写真感光材料に関し、
(３−１)特許請求の範囲の請求項１
「分散媒体とハロゲン化銀粒子より成るハロゲン化銀乳剤中に、厚さが０．５μｍ未満、直径が０．３μｍ以上、平均粒子直径／粒子厚み比が２以上の平板状ハロゲン化銀粒子を含み、該平板状粒子が全ハロゲン化銀粒子の投影面積の少なくとも５０％を占め、該平板状粒子の５０％（個数）以上が１粒子当り１０本以上の転位を含むことを特徴とするハロゲン化銀乳剤。」
(３−２)特許請求の範囲の請求項２
「平板状粒子の内部に粒子表面より沃化銀含有率の高い部分を有することを特徴とする特許請求の範囲（１）のハロゲン化銀乳剤。」
(３−３)特許請求の範囲の請求項３
「支持体上に少なくとも１層のハロゲン化銀乳剤層を有する写真感光材料に於て、該ハロゲン化銀乳剤層中に厚さが０．５μｍ未満、直径が０．３μｍ以上、平均粒子直径／粒子厚み比が２以上の平板状ハロゲン化銀粒子を含み、該平板状粒子が全ハロゲン化銀粒子の投影面積の少なくとも５０％を占め、該平板状粒子の５０％（個数）以上が１粒子当り１０本以上の転位を含むハロゲン化銀乳剤を含有することを特徴とする写真感光材料。」
(３−４)特許請求の範囲の請求項４
「平板状粒子の内部に表面より沃化銀含有率の高い部分を有することを特徴とする特許請求の範囲（３）の写真感光材料。」
(３−５)第２頁左下欄第９〜１３行
「本発明の目的は、高感度で粒状性・シャープネス、圧力性に優れかつ、露光照度依存性、保存性の改良されたハロゲン化銀乳剤及びそれを用いた写真感光材料を提供することである。」
(３−６)第３頁左上欄第６〜８行
「本発明の平板粒子を有する乳剤の平均粒子直径／粒子厚み比は３〜１２であることが好ましく、特に５〜１０であることが好ましい。」
(３−７)第３頁左下欄第１５〜２０行
「本発明の平板粒子の転位の数については１０本以上の転位を含む粒子が５０％（個数）以上存在することが好ましい。さらに好ましくは１０本以上の転位を含む粒子が８０％（個数）以上、特に好ましくは２０本以上の転位を含む粒子が８０％（個数）以上存在するものが良い。」
(３−８)第４頁右上欄第１行〜右下欄第９行
「本発明の平板状粒子の転位は粒子の内部に特定の高ヨード相を設けることによってコントロールすることができる。具体的には基板粒子を調製し、下記▲１▼または▲２▼の方法により高ヨウド相を設け、その外側を高ヨウド相よりヨウド含有率の低い相でカバーすることによって得られる
。・・・
▲１▼このための方法としては、・・・いわゆるコンバージョン法を用いることができる。・・・たとえば粒子形成途中において、その時点のＡｇＢｒ粒子の表面積に対しある量以上のＫＩ量を添加することが好ましい。具体的には８．２×１０−５モル／ｍ２以上のＫＩを添加することが好ましい。
▲２▼また別法として、・・・エピタキシャル接合法を用いることができる。・・・銀塩と、ヨウドを含むハロゲン化物溶液とを添加することにより本発明の内部高ヨウド相を形成することができる。」
(３−９)第１１頁左下欄第１５行〜第１２頁右上欄第２行
「（実施例‐１）
（１）乳剤の調製
　臭化カリウム６ｇ、不活性ゼラチン３０ｇを蒸留水３．７１に溶かした水溶液をよく撹拌しながら、これにダブルジェット法により、１４％の臭化カリウム水溶液と２０％の硝酸銀水溶液とを一定流量で１分間にわたって、５５℃、ｐＢｒ１．０において加えた（この添加（Ｉ）で全銀量の２．４０％を消費した）。ゼラチン水溶液（１７％，３００ｃｃ）を加え５５℃において撹拌した後、２０％の硝酸銀水溶液をｐＢｒが１．４０に達するまで一定流量で加えた（この添加（II）で全銀量の５．０％を消費した）。さらにヨウ化カリウム８．３ｇが添加されるようにヨウ化カリウムを含む２０％の臭化カリウム溶液および３３％の硝酸銀水溶液をダブルジェット法により、８０分間にわたって加えた（この添加（III)で全銀量の９２．６％を消費した
）。この間温度を５５℃、ｐＢｒを１．５０に保持した。また、この乳剤に使用した硝酸銀量は４２５ｇであって次いで通常のフロキュレーション法により脱塩後、金・硫黄増感を最適に行ない、平均粒子直径／粒子厚み比６．５、球相当直径０．８μである比較用の平板状ＡｇＢｒＩ（ＡｇＩ＝２．０モル％）乳剤−Ａを調製した。上記の手順において添加（III)で用いたハロゲン溶液からヨウ化カリウムを除き８．３ｇのヨウ化カリウムを含む溶液を（III)の終了時点で添加すること以外は同様の方法によって、平均粒子直径／粒子厚み比６．４、球相当直径０．８μである比較用の平板状ＡｇＢｒｌ（ＡｇＩ＝２．０モル％）乳剤−Ｂを調製した。上記乳剤Ｂの調製手順において、ヨウ化カリウム８．３ｇを含む溶液の添加を、(III）の途中、全銀量の５７％を消費した時点で硝酸銀と臭化カリウムの溶液の添加を中断して行なう以外は同様の方法によって、平均粒子直径／粒子厚み比６．３、球相当直径０．８μである本発明の平板状ＡｇＢｒＩ（ＡｇＩ＝２．０モル％）乳剤一１を調製した。さらに前記乳剤Ａの調製手順において添加（III)に使用するハロゲン溶液としてヨウ化カリウム４．０ｇが添加されるようにヨウ化カリウムを含む２０％の臭化カリウム溶液を用い、４．３ｇの沃化カリウムを含む溶液を添加（III)の途中全銀量の２５％を消費した時点で、硝酸銀と上記ハロゲン溶液の添加を中断して行なう以外は同様の方法によって、平均粒子直径／粒子厚み比６．０、球相当直径０．８μである本発明の平板状ＡｇＢｒｌ（ＡｇI＝２．０モル％）乳剤−２を調製した。」
(３−１０)第１２頁右上欄第９〜１５行
「第１図は、乳剤一Ａについて得られた典型的な粒子の写真を示したものである。ランダムな位置に丸みを帯びた黒いはん点が見られるが、これらは観察中に徐々に大きくなることがあり、コンターミネ一シヨンによるものあるいはプリントアウト銀によるものと見られ、明確な転位の存在は認められない。」
(３−１１)第１２頁右上欄第１７行〜左下欄第１０行
「第２図は、乳剤一１について得られた典型的な粒子の写真を示したものである。第１図と同様な黒いはん点様のもののほかに、粒子の中心より約９０％の位置から辺にかけて多数の転位線が明瞭に見られる。乳剤一１はこのように転位を２０本以上含む粒子が乳剤−１中の全ハロゲン化銀粒子の８０％以上（個数）を占めていた。第３図は、乳剤−２について得られた典型的な粒子の写真を示したものである。第２図と同様に、粒子の中心より約８０％の位置から辺にかけて多数の転位線が明瞭に見られる。乳剤一２は、このように転位を２０本以上含む粒子が乳剤−２中の全ハロゲン化銀粒子の９０％以上（個数）を占めていた。」
(３−１２)第２３頁右上欄第１５〜１７行
「一方、乳剤‐３〜７は、それぞれ乳剤−１と同様な転位が観察され、転位を１０本以上含む粒子が全体の８０％以上を占めていた。」
と記載され、
(３−１３)第２３頁右下欄表−２には、乳剤一３〜７の平均粒子直径／粒子厚み比は、それぞれ、乳剤−３：４．４、乳剤−４：６．３、乳剤−５：８．０、乳剤−６：９．８、乳剤一７：２０．１と記載され、
(３−１４)第３０頁第２図、第３図には、上記のフリンジ部にのみ転位線を有する乳剤一１及び乳剤一２の粒子の写真が示され、
(３−１５)第３２頁右上欄第１０〜１６行
「該六角平板状ハロゲン化銀粒子の粒子サイズ分布の変動係数（その投影面積の円換算直径で表わされる粒子サイズのバラツキ（標準偏差）を、平均粒子サイズで割った値）が２０％以下の単分散性をもつものであり、アスペクト比は２．５以上で粒子サイズは０．２μｍ以上である。」
と記載されている。
　
(３)対比・判断
(３．１)本件発明の特徴
　本件の特許掲載公報段落【０００５】には、「特願平１−３２９２３１号には、粒子フリンジ部に１粒子当たり１０本以上の転位線を有する平板状ハロゲン化銀粒子によって高感度で粒状性、階調、カブリの改良されたハロゲン化銀乳剤が得られることが示されている。しかしながら、この特許に示されているような従来の転位線導入技術では転位線の高密度化と位置の限定は相反するものであった。すなわち、平板粒子のフリンジ部に転位線をより高密度に導入しようとすると平板粒子の主平面部にも意図せぬ転位線を生じてしまい、粒子内部及び粒子間で均質な高密度転位線を導入することはできなかった。本発明者らは実質的にフリンジ部のみに転位線を有する粒子以外の粒子、すなわち主平面部に多数の転位線を有する粒子が混入すると、その乳剤の写真性能を損ねる（カブリの上昇、低感化、圧力性の悪化）可能性が考えられるので、これをなくそうとした。本発明は転位線量を高密度に保ったままで、実質的に粒子フリンジ部のみに限定して、転位線を粒子内及び粒子間で均質に、かつ高密度に導入しようとするものであり、前記特開平１−３２９２３１号では到達し得なかった粒子を形成せんとするものである。」と記載されている。
　該記載から明らかなように、本件発明は、“平板粒子のフリンジ部に転位線をより高密度に導入しようとすると、平板粒子の主平面部にも意図せぬ転位線を生じてしまい、主平面部に多数の転位線を有する粒子が混入すると、その乳剤の写真性能（カブリの上昇、低感化、圧力性の悪化）を損ねるため、粒子内部及び粒子間で均質な高密度転位線を導入することはできなかった。”という従来技術課題を解決することを目的とするものであって、該課題を、「主平面部に転位線を３本以上含まない、実質的にフリンジ部のみに転位線が局在するフリンジ転位型平板粒子を形成」することにより解決したものである。
　そして、このような特願平１−３２９２３１号に記載された発明の問題点を解決するために、本件発明の乳剤は、沃化物イオン放出剤を用いて沃化物イオンを急激に生成せしめながら粒子形成を行うことにより（本件の特許請求の範囲の請求項２〜５参照）、前記の従来の転位線導入技術ではなし得なかった、主平面部に転位線を３本以上有しないフリンジ転位型平板粒子を提供するものであり、より詳細には、沃化物イオン放出剤を用いて沃化物イオンを急激に、しかもローカリティー（不均一分布）を生じないように生成せしめることにより（特許公報第２１欄第３９〜４３行参照）、従来の方法、例えば沃化カリウム水溶液を添加する方法では困難であった沃化物イオンのローカリテイーを少なくし（特許公報第２２欄第４〜１０行参照）、転位線を高密度に保ったまま実質的に平板粒子のフリンジ部のみに限定して転位を導入することができたものである（特許公報第２２欄第１２〜２２行参照）。
　
(３．２)甲第１号証との対比
　甲第１号証は、本件明細書において従来技術として記載されている、「特願平１−３２９２３１号」の公開特許公報であって、主平面部に意図せぬ転位線を生じてしまうという、本件明細書に記載された従来技術の課題を内在するハロゲン化銀乳剤を開示するものである。
　すなわち、甲第１号証には、高感度で粒状性に優れ、階調特性が改良され、かつカブリの低い平板状ハロゲン化銀乳剤を提供することを目的として（摘記事項(１−５)参照）、「平板ハロゲン化銀粒子の全投影面積の５０％以上が、０．３マイクロメーター以上の粒子直径を有し、アスペクト比が２以上であり、かつ、粒子フリンジ部に一粒子あたり１０本以上の転位線を有する平板状ハロゲン化銀粒子。」が記載されているが（上記(１−１)参照）、該号証には、「フリンジ部に転位線を有する粒子」との記載があるだけで、本件発明の要件である、「フリンジ部のみに転位線を有するハロゲン化銀平板粒子」の記載は全くない。
　また、該号証記載の乳剤の製法としては、上記摘記事項（１−９）から明らかなように、平板粒子の内部に特定の高ヨウド相を設けることにより転位を有するフリンジ部を形成する方法が記載され、具体的には、「コンバージョン法」及び「エピタキシャル接合法方法」が記載されている。
　該号証記載の方法は、前記特許公報前段落【０００５】において言及される、従来の転位導入技術であって、「平板粒子の主平面部にも意図せぬ転位」を生じた粒子の製造方法である。
　さらに、該方法により製造された乳剤は、本件明細書に記載された実施例１において、比較乳剤として調製されている。すなわち、上述した甲第１号証に記載される乳剤の製法のうち、「コンバージョン法」により製造された粒子は、「平板沃臭化銀乳剤１−Ｂ（比較乳剤）」（特許公報第４９欄第４５行〜第５０欄第７行参照）に該当し、本件特許公報段落【０１７２】の表１に示されるように、この乳剤１−Ｂは、「１粒子当り３０本未満の転位線を有する平板粒子及び主平面転位型平板粒子の占める割合」が７５％であるのに対し、「実質的にフリンジのみに１粒子当り３０本以上の転位線を有する平板粒子（フリンジ転位型平板粒子）の占める割合」は２５％に過ぎず、本件発明の要件を満足していない。
　よって、甲第１号証１に記載される乳剤は、その製造方法からみても、本件発明の乳剤とは異なるものである。
　
(３．３)甲第２号証との対比
　甲第２号証には、感度が高く、相反則特性の優れたハロゲン化銀乳剤を得ることを目的として（摘記事項(２−４)参照）、「アスペクト比が２以上であり、粒子の頂点近傍に転位が集中している平板状ハロゲン化銀粒子を含有するハロゲン化銀写真乳剤が記載されている（摘記事項(２−１)参照）。
　また、該号証記載の平板状ハロゲン化銀粒子は、粒子直径が０．３μｍ以上であって、アスペクト比が２以上の平板状ハロゲン化銀粒子が全ハロゲン化銀粒子の投影面積の少なくとも５０％を占めるものである（摘記事項(２−２)参照）。
　さらに、甲第２号証の実施例−１において調製された乳剤Ｃ−１の透過型電子顕微鏡を用いて観察して得られた典型的な写真によれば、「転位は集中せず、粒子の辺に均一に導入されている」ことが記載されている（摘記事項(２−１２)参照）。
　しかしながら、該号証には、第２図について言及される辺の部分が、本件の要件である、フリンジ部に該当するか否かは記載されていない。さらに、該号証の実施例において、乳剤Ｃ−１の転位（第２図）が、「粒子の辺に均一に導入されている」こと、及び第２図の説明として、この「乳剤Ｃ−１中の転位が辺に存在している」との記載があるが、これらの記載は、主平面部の転位線の存在を積極的に否定するものではない。しかも、第２図は、乳剤中に含有される多数の粒子のうちのわずか１個の粒子の写真であって、第２図に示されるような粒子が全粒子の投影面積の８０％以上も占めることが開示されていることにはなり得ない。
　なお、甲第２号証には、「平板粒子が乳剤中に占める割合としては、好ましくは乳剤中の全ハロゲン化銀粒子の投影面積のうち５０％、特に好ましくは８０％以上である」との記載があるが（第３頁左上欄第１１行〜第１６行）、この記載は、該号証の特許請求の範囲に記載されるハロゲン化銀写真乳剤についての記載であるのに対して、問題の乳剤Ｃ−１は、比較用の乳剤であるから、第２図に示されるわずか１個の粒子の写真をもってそのような粒子が全粒子の投影面積の８０％を超える割合を占める根拠にはなり得ない。
　また、甲第２号証の発明の詳細な説明の記載から判断すると、問題の乳剤Ｃ−１の調製方法は、頂点近傍に集中した転位を有する粒子の調製手順▲１▼〜▲６▼のぅち、▲３▼を除いた手順で製造されたものである（摘記事項（２−１１参照）。
　ところで、該号証には、頂点近傍へ転位を導入するための方法は、「配向支配物質を何ら使用することなく、エピタキシャルを直接接合させる方法」（摘記事項(２−７)参照）と、「平板粒子の頂点にハロゲン変換を経由して沃化銀もしくは沃化銀含有率の高いハロゲン化銀部分をエピタキシャルに接合させる間接的方法」（摘記事項(２−８)参照）が記載されており、摘記事項(２−８)から明らかなように、後者の方法は、水溶性沃化物を配向支配物質として用いることにより、特定の位置に塩化鉄をエピタキシャル成長させ、その塩化銀を沃化カリウムによりハロゲン変換することにより頂点近傍に転位線を集中させることができ、また、塩化銀相が存在していない場合には、沃化カリウムは臭化銀とハロゲン変換を起こすため、続く粒子成長で転位は集中しないものとなり、辺や主表面に転位が導入されてしまうことが記載されている。
　よって、乳剤Ｃ−１のように、▲３▼を除いた手順、すなわち、塩化銀添加工程を行わずに調製した乳剤は、転位を特定部位に集中することができず、主平面部にも転位が生じてしまう蓋然性が高いものである。
　以上のとおり、第２図及びその説明を根拠に、本件請求項１に係る発明が甲第２号証に記載されていることにはなり得ない。
　
(３．４)甲第３号証との対比
　甲第３号証には、高感度で粒状性・シャープネス、圧力性に優れかつ、露光照度依存性、保存性の改良されたハロゲン化銀乳剤及びそれを用いた写真感光材料を提供することを目的として（摘記事項(３−５)参照）、「平均粒子直径／粒子厚み比が２以上の平板状ハロゲン化銀粒子が全ハロゲン化銀粒子の投影面積の少なくとも５０％を占め、該平板状粒子の５０％（個数）以上が１粒子当り１０本以上の転位を含むハロゲン化銀乳剤」が記載されている。（摘記事項(３−１)参照）。
　そして、該号証の実施例−１において調製された乳剤−１、乳剤−２の典型的な粒子の透過型電子顕微鏡写真が第２図及び第３図にそれぞれ示され、粒子の中心より約９０％の位置から辺にかけて多数の転位線が認められ、転位を２０本以上含む粒子が８０％以上（個数）を占めていたことなどが記載されている（摘記事項(３−１０)〜(３−１４)参照）。
  しかしながら、該号証には、平板粒子の主平面部に発生する意図せぬ転位の問題点についての記載が全くなく、ましてやその問題点の解決方法は開示も示唆もされていない以上、たとえ、該号証の実施例で調製された乳剤の顕微鏡写真についての説明として、「粒子の中心より約９０％の位置から辺にかけて多数の転位線が明瞭に見られる」との記載があったとしても、これらの記載のみからでは、甲第３号証にフリンジ部のみに転位線が局在する粒子が開示されているとはいい得ない。
　また、該号証には、本件発明の製造方法に相当する方法の開示もない。
　すなわち、摘記事項(３−８)にあるように、甲第３号証に記載された、転位の導入方法は、甲第１号証の転位の導入方法（摘記事項(１−９)参照）と同じであるから、甲第３号証記載の乳剤も、本件特許公報段落【０００５】において言及される、従来の転位導入技術により製造されたこものであり、「平板粒子の主平面部にも意図せぬ転位」を生じた粒子である。
　そして、本件特許公報第２９頁の表１には、該方法により製造された乳剤に対応する試料Ｎｏ．１（乳剤１−Ｂ）の感度、カブリ及び圧力特性と比較して、本件発明の試料Ｎｏ．４〜Ｎｏ．９のそれらは、特に圧力減感領域により示される圧力特性が顕著に優れるものであることが示されており、甲第３号証（甲第１号証）記載の方法により製造された乳剤が、本件発明の要件を満足していないことは明らかであって、このような顕著な効果は、該号証からは予測し得ない効果である。
　従って、本件発明は、甲第３号証に記載された発明に基づいて当業者といえども容易に発明をすることができたものではないことは明らかである。
　
(３．５)まとめ
　以上のとおり、本件の請求項１に係る発明は、甲第１ないし３号証に記載された発明ではなく、また、甲第３号証に記載された発明から、容易に発明をすることができたものでもない。
　
IV．むすび
  以上のとおりであるから、本件の請求項１ないし５に係る特許は、特許異議申立の主張および提出された証拠方法によっては、取消すことはできない。
　また、他に本件特許を取消すべき理由を発見しない。
  よって、結論のとおり決定する。                            　      
【異議決定日】
平成１３年７月１７日（２００１．７．１７）